(57)【要約】【課題】操作性に優れた洗濯機を実現する。【解決手段】洗濯機２９に設けた操作表示部３７と、操作表示部３７に設けた洗濯機の運転コースを設定する入力部６６と、操作表示部３７に設けた運転コースの設定内容を表示する液晶表示部７１と、設定された運転コースの行程を制御する制御部３９と、制御部３９へ無線通信により洗濯機の運転コースの入力を行う端末装置２８と、端末装置２８と無線通信を行う洗濯機送受信部３８と、端末装置２８に設け制御部３９と無線通信を行う端末送受信部３３と、端末装置２８に設けた端末操作部３０とを備え、洗濯機送受信部３８は、液晶表示部７１の下部に配置したことにより、操作表示部を適切な配置にすることで、設定内容を容易に確認でき、操作性が向上するものである。【選択図】図４
2014023809.tif 000002
【特許請求の範囲】
【請求項１】
洗濯機に設けた操作表示部と、前記操作表示部に設けた洗濯機の運転コースを設定する入力部と、前記操作表示部に設けた前記運転コースの設定内容を表示する液晶表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部とを備え、前記洗濯機送受信部は、前記液晶表示部の下部に配置した洗濯機。
【請求項２】
前記制御部は、前記液晶表示部の下部に配置された実装基板を有し、前記洗濯機送受信部は、前記液晶表示部と前記実装基板との間に配置された構成の請求項１に記載の洗濯機。
【請求項３】
前記液晶表示部と前記実装基板と前記洗濯機送受信部とは、接続部材に固定され一体的に構成された請求項２に記載の洗濯機。
【発明の詳細な説明】
【技術分野】
【０００１】
本発明は、通信端末によって運転コースを設定する洗濯機に関するものである。
【背景技術】
【０００２】
従来、この種の洗濯機の制御は、制御部により、例えば、洗い、すすぎ、脱水などの一連の行程をプログラム制御する制御方式が提案されてきた（例えば、特許文献１参照）。
【０００３】
図９は、特許文献１に記載された従来の洗濯機の縦断面図、図１０は、同洗濯機のブロック回路図、図１１は、同洗濯機の操作部を示すものである。
【０００４】
図９において、洗濯機１は、略長方体に構成した筐体３を備えており、この筐体３の内部に、略円筒形に構成した水受け槽４を吊り棒５によって吊り下げ、この水受け槽４内に、略円筒形状に構成した洗濯兼脱水槽６を回転自在に内包している。洗濯兼脱水槽６の底部には、撹拌翼７を垂直方向に沿った軸の回りに回転自在に設けている。
【０００５】
水受け槽４外底部には、撹拌翼７を回転させるモータ８を設け、モータ８は、直流ブラシレスモータによって構成している。モータ８と撹拌翼７との間には、動力切換機構９を設け、この動力切換機構９は、洗濯時にはモータ８からの駆動力を減速して撹拌翼７へ伝達し、脱水時にはモータ８からの駆動力を１対１で撹拌翼７へ伝達する。
【０００６】
水受け槽４の上には、散水用の吐出部を形成するカバー体１０を設けている。また、筐体３の上方には、洗濯兼脱水槽６内に給水する給水弁１１を設けている。また、水受け槽４の下方には、水受け槽４内の洗濯水を排水する排水弁１２を設けている。
【０００７】
水受け槽４の外壁下部に接続部１３を設け、この接続部１３に水受け槽４の水位を検知する水位検知器１４を接続し、水位検知器１４は接続部１３における水圧を電気的な周波数に変換するよう構成している。
【０００８】
また、洗濯機１の上面前部には、操作部２を配設し、運転コース等のモードや各種機能の選択は、使用者が操作部２から入力部２６へ入力して行ない、洗濯機１の上面前部内方に設けられた制御部２２が、その入力情報を基に操作部２の表示部２７に表示して使用者に知らせる。
【０００９】
図１０において、モータ８は、インバータ回路１５によって駆動され、インバータ回路１５は、６個のスイッチング素子１６Ａ〜１６Ｆを有し、各スイッチング素子１６Ａ〜１６Ｆは、パワートランジスタと逆導通ダイオードとによって構成される並列回路をそれぞれ有している。
【００１０】
電源１７は、ダイオードブリッジ１８とチョークコイル１９と平滑用コンデンサ２０とによって構成される直流電源変換装置を介してインバータ回路１５へ電圧を供給する。電源１７はまた、ポンプ６０、給水弁１１、排水弁１２、動力切換機構９とに電圧を供給する。
【００１１】
モータ８には、３個の位置検出器２１を設け、各位置検出器２１は、モータ８の回転位置を検出する。
【００１２】
制御部２２は、回転制御部２３を有し、この回転制御部２３は、各位置検出器２１によ
って検出されたモータ８の回転位置と、水位検知器１４によって検知された水受け槽４の水位とに基づいて、駆動回路２４を制御する。駆動回路２４は、回転制御部２３からの指示に基づいて、インバータ回路１５を駆動する。
【００１３】
ポンプ６０と給水弁１１と排水弁１２と動力切換機構９とは、負荷駆動部２５に接続しており、負荷駆動部２５は、制御部２２からの指示に基づいて、ポンプ６０と給水弁１１と排水弁１２と動力切換機構９とをそれぞれ駆動する。
【００１４】
操作部２は、洗い時間、すすぎ回数、脱水時間などを入力する入力部２６と、入力部２６に入力された洗い時間、すすぎ回数、脱水時間などを表示する表示部２７とを有する。
【００１５】
図１１において、入力部２６は、洗い時間を設定する洗い時間設定スイッチ２６ａ、すすぎ回数を設定するすすぎ回数設定スイッチ２６ｂ、脱水時間を設定する脱水時間設定スイッチ２６ｃ、乾燥時間を設定する乾燥時間設定スイッチボタン２６ｄ、スタート・一時停止スイッチ２６ｅ、電源入りスイッチ２６ｆ、電源切りスイッチ２６ｇなどを有し、表示部２７は、洗い時間表示部２７ａ、すすぎ回数表示部２７ｂ、脱水時間表示部２７ｃ、乾燥時間表示部２７ｄなどを有している。
【００１６】
また、入力部２６には、複数の基本運転コースと特別運転コースとのいずれかを選択する運転コース選択スイッチ２６ｈを設けており、表示部２７に、複数の基本運転コースと特別運転コースとのそれぞれに対応する複数の運転コース選択表示部２７ｅとを設けている。ここで、特別運転コースは、入力部２６に入力された洗い時間、すすぎ回数、脱水時間をそれぞれ変更することによって設定する。
【００１７】
複数の運転コース選択表示部２７ｅは、発光ダイオードによって構成されている。基本運転コースには、例えば、「おまかせコース」と「お急ぎコース」と「おうちクリーニングコース」が含まれている。「おまかせコース」は、最も標準的な運転コースであって、例えば洗い時間が「９分」に設定されており、すすぎ回数が「注水２回」に設定されており、脱水時間が「７分」に設定されたコースである。
【００１８】
「お急ぎコース」は、急いで洗濯するための基本運転コースであって、例えば洗い時間が「３分」に設定されており、すすぎ回数が「注水１回」に設定されており、脱水時間が「３分」に設定されている。「おうちクリーニングコース」は、クリーニングを推奨されている衣類を家庭内の洗濯機において洗うための基本運転コースであって、例えば洗い時間が「１２分」に設定されており、すすぎ回数が「ため２回」に設定されており、脱水時間が「４０秒」に設定されている。
【００１９】
特別運転コースは、洗い時間、すすぎ回数、脱水時間を任意に設定することができる。運転コース選択表示部２７ｅは、「おまかせコース」、「お急ぎコース」、「おうちクリーニングコース」、「特別運転コース」ごとにそれぞれ設けている。運転コース選択スイッチ２６ｈを押すたびに「おまかせコース」、「お急ぎコース」、「おうちクリーニングコース」、「特別運転コース」と、この順番に運転コース選択表示部２７ｅが切り替わって点灯してゆく。
【００２０】
上記構成において動作を説明する。
【００２１】
運転コース選択スイッチ２６ｈを押すことによって、特別運転コースが選択されると、最も標準的な運転コースである「おまかせコース」に予め規定された洗い時間、すすぎ回数、脱水時間が、洗い時間表示部２７ａ、すすぎ回数表示部２７ｂ、脱水時間表示部２７ｃに表示される。そして、使用者は、洗い時間表示部２７ａ、すすぎ回数表示部２７ｂ、
脱水時間表示部２７ｃに表示された「おまかせコース」の洗い時間、すすぎ回数、脱水時間を参照しながら、自らの洗濯事情に合わせて、「おまかせコース」の洗い時間、すすぎ回数、脱水時間を変更するために、所望の洗い時間設定スイッチ２６ａ、すすぎ回数設定スイッチ２６ｂ、脱水時間設定スイッチ２６ｃをそれぞれ複数回押すことによって、特別運転コースを設定する。
【００２２】
その後、制御部２２は、入力部２６によって設定された特別運転コースに基づいて、洗い、すすぎ、脱水の一連の行程を実行するように、駆動回路２４と負荷駆動部２５とを制御する。
【先行技術文献】
【特許文献】
【００２３】
【特許文献１】特開２００２−１１９７８８号公報
【発明の概要】
【発明が解決しようとする課題】
【００２４】
しかしながら、前記従来の構成では、洗濯機が置かれている環境は照明が十分ではない場合が多く、その環境で、特別運転コースの、例えば「おまかせコース」の細かい設定を変更することは、決して楽な動作ではない。高齢者にとっては、苦痛に感じられることもあった。
【００２５】
本発明は、前記従来の課題を解決するもので、洗濯機と端末装置の間に無線による送受信の通信機能を持つことにより、洗濯機の前まで行って操作表示部のボタンを一々操作することなく、洗濯機から離れた環境の良い場所で設定し、操作表示部の配置の自由度を確保し適切な配置にすることで、設定内容を容易に確認でき、操作性が向上する洗濯機を提供することを目的とする。
【課題を解決するための手段】
【００２６】
前記従来の課題を解決するために、本発明の洗濯機は、洗濯機に設けた操作表示部と、前記操作表示部に設けた洗濯機の運転コースを設定する入力部と、前記操作表示部に設けた前記運転コースの設定内容を表示する液晶表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部とを備え、前記洗濯機送受信部は、前記液晶表示部の下部に配置したものである。
【００２７】
これにより、使用者の端末装置で設定した洗濯機の設定を送信するときの操作性を向上することができる。
【発明の効果】
【００２８】
本発明の洗濯機は、洗濯機送受信部を液晶表示部の下部に配置することにより、操作表示部を適切な配置にでき、使用者の操作性と使い勝手を向上し、信頼性を向上することができる。
【図面の簡単な説明】
【００２９】
【図１】本発明の実施の形態における洗濯機と端末装置を示す斜視図
【図２】同洗濯機の縦断面図
【図３】同洗濯機の洗濯機制御システムのブロック回路図
【図４】同洗濯機の制御部周辺の縦断面図
【図５】同洗濯機の洗濯機制御システムの洗濯機の操作表示部の電源ＯＮ時の表示例を示す正面図
【図６】（ａ）同洗濯機の洗濯機制御システムの端末装置の端末操作部を示す図、（ｂ）同端末装置のネットコース設定内容を転送する際の端末操作部を示す図
【図７】同洗濯機の洗濯機制御システムの動作フローチャート
【図８】同、本発明の実施の形態におけるドラム式洗濯機の斜視図
【図９】従来の洗濯機の縦断面図
【図１０】同洗濯機のブロック回路図
【図１１】同洗濯機の操作部を示す図
【発明を実施するための形態】
【００３０】
第１の発明は、洗濯機に設けた操作表示部と、前記操作表示部に設けた洗濯機の運転コースを設定する入力部と、前記操作表示部に設けた前記運転コースの設定内容を表示する液晶表示部と、設定された運転コースの行程を制御する制御部と、前記制御部へ無線通信により洗濯機の運転コースの入力を行う端末装置と、前記端末装置と無線通信を行う洗濯機送受信部と、前記端末装置に設け前記制御部と無線通信を行う端末送受信部と、前記端末装置に設けた端末操作部とを備え、前記洗濯機送受信部は、前記液晶表示部の下部に配置したことにより、端末装置の表示と液晶表示部の表示とが見比べやすく、容易に確認しやすい。また、洗濯機の操作表示部に洗濯機送受信部の専有面積が不要になるので、入力部や表示部配置の自由度が増し、操作表示部を適切な配置にすることができる。
【００３１】
第２の発明は、特に、第１の発明の制御部は、前記液晶表示部の下部に配置された実装基板を有し、前記洗濯機送受信部は、前記液晶表示部と前記実装基板との間に配置された構成としたことにより、製造組み立ても容易になり、接続用の信号線も短くでき、これにより外部ノイズの影響も受けにくくなるので、信頼性が向上し、製造コストも低減することができる。
【００３２】
第３の発明は、特に、第２の発明において、前記液晶表示部と前記実装基板と前記洗濯機送受信部とは、接続部材に固定され一体的に構成されたことにより、より一層、製造組み立てが容易となり、信頼性が向上し、製造コストを低減することができる。
【００３３】
以下、発明の実施の形態について、図面を参照しながら説明する。なお、従来例と同じ構成のものは同一符号を付して説明を省略する。また、この実施の形態によって本発明が限定されるものではない。
【００３４】
（実施の形態１）
図１は、本発明の実施の形態における洗濯機と端末装置を示す斜視図、図２は、同洗濯機の縦断面図、図３は、同洗濯機制御システムのブロック回路図を示すものである。
【００３５】
図１、図２において、洗濯機２９と端末装置２８とは、無線による通信にて接続されており、使用者は、洗濯機２９の操作表示部３７の入力部６６から操作して、表示部６７にて設定内容を確認して制御することができるとともに、端末装置２８を操作して、洗濯機を制御することもできる。そのため、端末装置２８には、洗濯機２９と情報をやり取りする端末送受信部３３を有し、洗濯機２９の上面前部内方に配設され、洗濯機を制御する制御部３９には、端末装置２８と情報をやり取りする洗濯機送受信部３８を有している。なお、この洗濯機２９の操作表示部３７は水平面ではなく、傾斜面に設けられている。
【００３６】
図３において、端末装置２８は、端末操作部３０を備えており、この端末操作部３０には、ネットコース設定部（プログラム設定手段）３１と転送開始ボタン（送信開始指示手段）３２とを設けている。
【００３７】
ネットコース設定部３１は、洗い、すすぎ、脱水の一連の行程の少なくとも１つの行程の内容を変更することによって、洗濯機２９によって実行されるネットコース（プログラム）の内容を設定する。
【００３８】
端末送受信部（端末側送受信手段）３３は、ネットコース設定部３１によって設定されたネットコースの内容を表す情報を、無線による通信にて、洗濯機２９に送信する。ここで、端末操作部３０と端末送受信部３３へ電圧を供給する電源を有し、送信する際のエネルギーを用いて電力供給を行う、近年使用されている携帯電話などに利用されているＮＦＣ等での動作や、別途電源を持って電池によって構成してもよい。
【００３９】
ネットコース設定部３１は、端末表示部３４と端末入力部３５を有し、端末表示部３４にはネットコースで設定されている洗い、すすぎ、脱水の行程の内容が表示される。端末入力部３５によって、設定内容を変更できるようにしている。運転状態判定手段３６は、端末送受信部３３によって受信したデータによって、洗濯機２９の運転状態を判定するものである。
【００４０】
ここで、端末操作部３０は、タッチパネルによって構成しており、ネットコース設定部３１と転送開始スイッチボタン３２を含むように形成している。これらの端末送受信部３３は携帯電話そのもので代用可能である。なお、端末操作部３０については、後述する図６において、詳述する。
【００４１】
洗濯機２９には、制御部（制御手段）３９を設け、この制御部３９は、記憶部（不揮発性記憶手段）４０を有し、この記憶部４０は、洗濯機送受信部３８によって受信されたネットコース（プログラム）の内容を表す情報を記憶している。また、制御部３９は、洗濯機送受信部３８によって受信され、記憶部４０に記憶されたネットコースの内容を表す情報に基づいて、洗い、すすぎ、脱水の一連の行程をプログラム制御する。
【００４２】
図４は、本発明の実施の形態における洗濯機の操作表示部周辺の断面図である。
【００４３】
図４において、液晶表示部７１は、制御部３９の実装基板７２上に実装されるとともに、使用者が端末装置２８を操作表示部３７に近づけることによって、端末送受信部３３から送信されたプログラムの内容を、液晶表示部７１と実装基板７２との間に配置した洗濯機送受信部３８で受信を行い、制御部３９により行程制御を行う。
【００４４】
また、洗濯機送受信部３８は、制御部３９の液晶表示部７１および実装基板７２と共に接続部材１０１に固定され、これにより、洗濯機送受信部３８と液晶表示部７１と実装基板７２とは、一体的に構成される。
【００４５】
図５は、本発明の実施の形態における洗濯機の洗濯機制御システムの洗濯機の操作表示部の電源ＯＮ時の表示例を示す正面図である。
【００４６】
図５において、操作表示部３７の入力部６６は、洗い時間を設定する洗い時間設定スイッチ６６ａ、すすぎ回数を設定するすすぎ回数設定スイッチ６６ｂ、脱水時間を設定する脱水時間設定スイッチ６６ｃ、乾燥時間を設定する乾燥時間設定スイッチ６６ｄ、スタート・一時停止スイッチ６６ｅ、電源入りスイッチ６６ｆ、電源切りスイッチ６６ｇ、洗濯兼脱水槽６内の水位を設定する水位スイッチ６６ｊなどを有するとともに、既存コース選択スイッチ６６ｉを有している。
【００４７】
既存コース選択スイッチ６６ｉで洗濯機２９があらかじめ持っているコースのうちの一つを選択し、スタート・一時停止スイッチ６６ｅで運転開始を指示し、電源入りスイッチ
６６ｆ、電源切りスイッチ６６ｇで洗濯機２９の電源を入れたり切ったりすることができる。また、既存コース選択スイッチ６６ｉで選択したコースの洗い時間、すすぎ回数、脱水時間を、洗い時間設定スイッチ６ａ、すすぎ回数設定スイッチ６６ｂ、脱水時間設定スイッチ６６ｃを押すことによって、変更設定して運転することもできる。
【００４８】
そして、表示部６７は、液晶表示部７１で構成されており、使用者が電源入りスイッチ６６ｆをＯＮして、液晶表示部７１に表示されるメニューを見ながら、入力部６６の各スイッチを押して希望する運転コースを選択すると、液晶表示部７１には、選択して設定された運転内容が点灯し、文字や図形を浮かび上がらせる。例えば、図５に示すように、既存コース選択スイッチ６６ｉを何回か押して、「おまかせ」コースを設定し、乾燥をしない洗濯のみを設定して、スタート・一時停止スイッチ６６ｅを押して運転を開始させると、投入された布量を検知後に、洗い時間、すすぎ回数、脱水時間と残り時間を表示する。無関係な表示まで発光させると使い難くなるので、運転中は設定されたコース内容の表示部のみを発光させて、使用者が使用状況を把握し易くできるようになっている。
【００４９】
また、ネットコースの内容を入力して設定した端末装置２８をこの操作表示部３７に近づけると、端末装置２８に設けた端末送受信部３３によって情報が送信され、その情報を液晶表示部７１の下部に配した洗濯機送受信部３８で受信して、設定内容を液晶表示部７１に表示する。使用者は、その表示された設定を確認して、洗濯機２９をスタートさせることができる。端末装置２８の操作手順、動作については、図６、図７にて詳述する。
【００５０】
図６（ａ）は、本発明の実施の形態における洗濯機の洗濯機制御システムの端末装置の端末操作部を示す図、（ｂ）同端末装置のネットコース設定内容を転送する手順を説明する端末操作部を示す図である。
【００５１】
図６（ａ）、（ｂ）において、端末装置２８の端末操作部３０の電源スイッチボタン６１を押した後、ネットコース設定部３１にて、端末入力部３５の切換スイッチボタン３５ａ、３５ｂ、３５ｃを押すことにより、ネットコースの洗い時間、すすぎ回数、脱水時間を設定することができ、その設定内容を端末表示部３４で確認することができる。そして、転送開始スイッチボタン３２を押すことにより、設定内容を洗濯機２９に送信することができる。転送開始スイッチボタン３２については、図７の動作フローチャートにて後述する。なお、端末装置２８は、携帯電話の機能として、専用アプリを有して対応することで、その動作を行うこともできる。
【００５２】
以上のように構成された洗濯機制御システムについて、その動作、作用を説明する。
【００５３】
図７は、本発明の実施の形態における洗濯機の洗濯機制御システムの動作フローチャートである。
【００５４】
図７において、端末装置２８の端末操作部３０に設けた電源スイッチボタン６１を押すと、ステップ４１にて、図６（ａ）に示すように、ネットコース設定内容がネットコース設定部３１に設けた端末表示部３４に表示される。
【００５５】
次に、ステップ４２にて、ネットコース設定内容の初期値から、洗い時間、すすぎ回数、脱水時間のいずれを変更するかを判定する。ステップ４３では、洗い時間が変更された場合を示している。図６（ａ）に示す例では、端末入力部３５であるタッチパネルにユーザがタッチすることによって、洗い時間「６分」が洗い時間「９分」に変更された例を示している。
【００５６】
ステップ４４では、すすぎ回数が変更された場合を示している。図６（ａ）に示す例で
は、端末入力部３５であるタッチパネルにユーザがタッチすることによって、すすぎ回数「ため１回」がすすぎ回数「ため２回」に変更された例を示している。
【００５７】
ステップ４５では、脱水時間が変更された場合を示している。図６（ａ）に示す例では、端末入力部３５であるタッチパネルにユーザがタッチすることによって、脱水時間「３分」が脱水時間「７分」に変更された例を示している。
【００５８】
このとき、ステップ４６のように、洗濯機２９の電源は切状態である。電源が切れているので、洗濯機２９は受信できる状態（受信可能状態）になっていない。そのため、図６（ａ）に示すように、転送開始スイッチボタン３２は表示されていない。
次に、ステップ４７にて、洗濯機２９の電源入りスイッチ６６ｆを押すことによって、洗濯機２９の電源を入れる。ステップ４８にて、洗濯機２９は洗濯機送受信部３８により電源入データを送信する。
【００５９】
ステップ４９にて、端末装置２８は、運転状態判定手段３６により洗濯機２９の電源が入ったことを認知する。つまり、洗濯機２９は受信可能状態になったことを認知する。その結果、ステップ５０にて、図６（ｂ）に示すように、端末操作部３０に転送開始スイッチボタン３２を表示する。
【００６０】
次に、ステップ５１にて、使用者が転送開始スイッチボタン３２を押すと、ＮＦＣの場合には、端末装置２８を液晶表示部７１の下方にある洗濯機送受信部３８に近づける（ステップ５２）ことで、ステップ５３にて、端末送受信部３３からネットコース設定の全データを送信する。
【００６１】
ステップ５４にて、洗濯機２９は洗濯機送受信部３８によってネットコース設定の全データを受信する。つぎに、ステップ５５にて、記憶部４０にネットコース設定の全データを記憶するとともに、ステップ５６にて、操作表示部３７の液晶表示部７１を点灯し、設定内容を表示させる。この時、洗濯機送受信部３８は、液晶表示部７１の下方にあるために、端末装置２８の表示と液晶表示部７１の表示とは見比べやすく、容易に確認しやすい。なお、記憶部４０は不揮発性であるため、洗濯機２９の電源が遮断されても、全データを保存することができる。
【００６２】
次に、ステップ５７にて、スタート・一時停止スイッチ６６ｅを押すことで、洗濯機２９は、受信したネットコース設定内容に基づいたシーケンスを運転する。なお、端末装置２８の端末操作部３０に設けたスタートボタン６２を押すことでも、洗濯機２９はシーケンスを運転することができる。
【００６３】
以上のように本実施の形態においては、洗濯機と端末装置で情報の通信を行なって行程制御するとともに、液晶表示部の下方に洗濯機送受信部を配置したことにより、端末装置の表示と液晶表示部の表示とは見比べやすく、容易に確認しやすい。また、洗濯機の操作表示部に洗濯機送受信部の専有面積が不要になるので、入力部や表示部配置の自由度が増し、操作表示部の配置が適正化され、操作性の向上を図ることができる。
【００６４】
また、洗濯機送受信部を制御部の実装基板の上方に配置して、実装基板と液晶表示部と洗濯機送受信部とを一体的に構成することにより、製造組み立ても容易になり、接続用の信号線も短くでき、これにより外部ノイズの影響も受けにくくなるので、信頼性が向上し、製造コストも低減することができる。
【００６５】
なお、本実施の形態では、端末装置を洗濯機の洗濯機送受信部に近づけて通信する制御システムを述べたが、赤外線または電波を利用した短距離無線通信技術によって接続され
ていてもよい。
【００６６】
また、本実施の形態においては、洗濯機の場合の制御システムについて説明したが、プログラム制御される機器は洗濯機に限定するものでなく、マイクロコンピュータを用いてプログラム制御するものであればよく、同様の作用、効果を得ることができる。
【００６７】
なお、本実施の形態１においては主に縦型の洗濯機について例示して説明を行ったが、ドラム式洗濯機についても当然、適用することができる。図８は、本発明の実施の形態におけるドラム式洗濯機の斜視図である。
【産業上の利用可能性】
【００６８】
以上のように、本発明にかかる洗濯機制御システムは、端末装置との情報を送受信する洗濯機送受信部を、液晶表示部の下に配置することにより、使用者が端末装置で設定するときの操作性が向上し、製造コストも低減することが可能となるので、電子制御を行なう他の電気機器の用途に適用できる。
【符号の説明】
【００６９】
２８  端末装置
２９  洗濯機
３０  端末操作部
３３  端末送受信部
３７  操作表示部
３８  洗濯機送受信部
３９  制御部
６６  入力部
６７  表示部
７１  液晶表示部
７２  実装基板
【図１】
2014023809.tif 000003
【図２】
2014023809.tif 000004
【図３】
2014023809.tif 000005
【図４】
2014023809.tif 000006
【図５】
2014023809.tif 000007
【図６】
2014023809.tif 000008
【図７】
2014023809.tif 000009
【図８】
2014023809.tif 000010
【図９】
2014023809.tif 000011
【図１０】
2014023809.tif 000012
【図１１】
2014023809.tif 000013